(57)【要約】      （修正有）【課題】高多湿な場所や多雨時は勿論、水中においても使用可能な照明器具を提供する。【解決手段】ソケット１に第一防水リング５を嵌め込み、第一防水リングの接触側周面とフランジ部９の段周部１０の側周面とが密着すると共に、第一防水リングの接触上周面と前記段周部の上周面とが密着する。さらに第一防水リングの接触テーパ周面に形成した複数の突周条が、ホルダー３の上フランジ部１１の上テーパ周面に押圧され弾性変形して平坦になり、照明ケース４に第二防水リング６を嵌め込み、第二防水リングの接触側周面とフランジ部１３の段周部の側周面とが密着すると共に、第二防水リングの接触下周面と前記段周部の上周面とが密着する。さらに第二防水リングの接触テーパ周面に形成した複数の突周条が、ホルダー３の下フランジ部１２の下テーパ周面に押圧され弾性変形して平坦になるようにした。【選択図】図３
0003185999.tif 000002
【実用新案登録請求の範囲】
【請求項１】
ソケット（１）に設けたフランジ部（９）の段周部（１０）に第一防水リング（５）を嵌め込み、前記ソケット（１）をホルダー（３）に差し込み、前記フランジ部（９）の段周部（１０）の上周面（１０ｂ）と前記ホルダー（３）に設けた上フランジ部（１１）の上周面（１１ａ）とが接触するようにして、前記フランジ部（９）と上フランジ部（１１）を固着することにより、前記第一防水リング（５）が、前記フランジ部（９）と上フランジ部（１１）に押圧されて、第一防水リング（５）の接触側周面（５ａ）と前記段周部（１０）の側周面（１０ａ）とが密着すると共に、第一防水リング（５）の接触上周面（５ｂ）と前記段周部（１０）の上周面（１０ｂ）とが密着し、さらに前記第一防水リング（５）の接触テ−パ周面（５ｃ）に形成した複数の突周条（１５）が、前記上フランジ部（１１）の上テ−パ周面（１１ｃ）に押圧され弾性変形して平坦になり、第一防水リング（５）の接触テ−パ周面（５ｃ）と前記上フランジ部（１１）の上テ−パ周面（１１ｃ）との密着性が完全になるようにしたことを特徴とする照明器具。
【請求項２】
照明ケース（４）に設けたフランジ部（１３）の段周部（１４）に第二防水リング（６）を嵌め込み、ホルダー（３）を前記照明ケース（４）に被せ、前記ホルダー（３）に設けた下フランジ部（１２）の下周面（１２ａ）と前記照明ケース（４）のフランジ部（１３）の上周面（１４ｂ）とが接触するようにして、前記下フランジ部（１２）とフランジ部（１３）を固着することにより、前記第二防水リング（６）が、前記下フランジ部（１２）とフランジ部（１３）に押圧されて、第二防水リング（６）の接触側周面（６ａ）と前記段周部（１４）の側周面（１４ａ）とが密着すると共に、第二防水リング（６）の接触下周面（６ｂ）と前記段周部（１４）の上周面（１４ｂ）とが密着し、さらに前記第二防水リング（６）の接触テ−パ周面（６ｃ）に形成した複数の突周条（１６）が、前記下フランジ部（１２）の下テ−パ周面（１２ｂ）に押圧され弾性変形して平坦になり、第ニ防水リング（６）の接触テ−パ周面（６ｃ）と前記下フランジ部（１２）の下テ−パ周面（１２ｂ）との密着性が完全になるようにしたことを特徴とする照明器具。
【請求項３】
ソケット（１）に設けたフランジ部（９）の段周部（１０）に第一防水リング（５）を嵌め込み、前記ソケット（１）をホルダー（３）に差し込み、前記フランジ部（９）の段周部（１０）の上周面（１０ｂ）と前記ホルダー（３）に設けた上フランジ部（１１）の上周面（１１ａ）とが接触するようにして、前記フランジ部（９）と上フランジ部（１１）を固着することにより、前記第一防水リング（５）が、前記フランジ部（９）と上フランジ部（１１）に押圧されて、第一防水リング（５）の接触側周面（５ａ）と前記段周部（１０）の側周面（１０ａ）とが密着すると共に、第一防水リング（５）の接触上周面（５ｂ）と前記段周部（１０）の上周面（１０ｂ）とが密着し、さらに前記第一防水リング（５）の接触テ−パ周面（５ｃ）に形成した複数の突周条（１５）が、前記上フランジ部（１１）の上テ−パ周面（１１ｃ）に押圧され弾性変形して平坦になり、第一防水リング（５）の接触テ−パ周面（５ｃ）と前記上フランジ部（１１）の上テ−パ周面（１１ｃ）との密着性が完全になるようにし、
照明ケース（４）に設けたフランジ部（１３）の段周部（１４）に第二防水リング（６）を嵌め込み、ホルダー（３）を前記照明ケース（４）に被せ、前記ホルダー（３）に設けた下フランジ部（１２）の下周面（１２ａ）と前記照明ケース（４）のフランジ部（１３）の上周面（１４ｂ）とが接触するようにして、前記下フランジ部（１２）とフランジ部（１３）を固着することにより、前記第二防水リング（６）が、前記下フランジ部（１２）とフランジ部（１３）に押圧されて、第二防水リング（６）の接触側周面（６ａ）と前記段周部（１４）の側周面（１４ａ）とが密着すると共に、第二防水リング（６）の接触下周面（６ｂ）と前記段周部（１４）の上周面（１４ｂ）とが密着し、さらに前記第二防水リング（６）の接触テ−パ周面（６ｃ）に形成した複数の突周条（１６）が、前記下フランジ部（１２）の下テ−パ周面（１２ｂ）に押圧され弾性変形して平坦になり、第ニ防水リング（６）の接触テ−パ周面（６ｃ）と前記下フランジ部（１２）の下テ−パ周面（１２ｂ）との密着性が完全になるようにしたことを特徴とする照明器具。
【考案の詳細な説明】
【技術分野】
【０００１】
この考案は、トンネルや園芸ハウスなどの多湿な場所、建築工事や道路工事の現場などの雨がかかる屋外で使用するのに適した照明器具に関するものである。
【背景技術】
【０００２】
従来、この種の照明器具は、例えば図１３に示したように、電線コード２１と引き出し線部２１ａ、２１ｂを狭持するように設けられた半円筒形の接手体２２ａ、２２ｂと、前記引き出し線部２１ａ、２１ｂに接続されたソケット２３と、前記接手体２２ａ、２２ｂの雄ネジ部２４に中央雌ネジ部２５を螺嵌して固定された透明または半透明のプラスチック製照明ケース本体２６とからなるものが存在する（特許文献１）。
【０００３】
このようにした従来の照明器具は、前記照明ケース本体２６内を防水するために、接手体２２ａ、２２ｂの雄ネジ部２４の付け根に防水リング２７が装着されている。
【０００４】
さらに、この種の照明器具は、例えば図１４に示したように、二本の絶縁電線３１、３１との接触部がそれぞれ防水性絶縁材料で被覆された防水構造のソケット３２を、前記絶縁電線３１、３１と共に、防水ゴムカバー３３で一体に被覆するようにしたものが存在する（特許文献２）。
【０００５】
このようにした従来の照明器具は、ガード受け３４を利用して電球ガード３５を取り付け、電球３６をソケット３２にはめ込んで使用に供することができるものとしている。
【先行技術文献】
【特許文献】
【０００６】
【特許文献１】実開平６−６０６１３号公報
【特許文献２】実公平７ー３５９３号公報
【考案の概要】
【考案が解決しようとする課題】
【０００７】
しかしながら、上記図１３に示した従来の照明器具では、前記照明ケース本体２６内を防水するために、接手体２２ａ、２２ｂの雄ネジ部２４の付け根に防水リング２７が装着されているものの、その防水リング２７の形状等には特に工夫が施されておらず、防水構造が完全なものではなく、高多湿な場所や多雨時の使用には浸水し、不適なものであった。
【０００８】
また、上記図１４に示した従来の照明器具では、二本の絶縁電線３１、３１とソケット３２との防水は完全なものであっても、ソケット３２とガード受け３４との間や、ガード受け３４と電球ガード３５との間には特に工夫が施されておらず、これらの間の防水が不完全であり、図１３に示した従来の照明器具と同様に、高多湿な場所や多雨時の使用には浸水し、不適なものであった。
【０００９】
さらに、上記図１３、１４に示した従来の照明器具では、防水構造が完全なものではないため、水中で使用することは到底不可能であり、例えば工事現場の水たまり等の水中に落した場合にも、防水が不完全であるため浸水し、消灯などの事故を引き起こすことがあった。
【００１０】
そこで、この考案は、上記従来の照明器具の問題点を解決することを目的としており、ソケットとガード受けとの間や、ガード受けと照明ケース（電球ガード）との間というように各構成部材間の防水を完全なものとし、高多湿な場所や多雨時は勿論、水中においても使用可能とした照明器具を提供することを目的としてなされたものである。
【課題を解決するための手段】
【００１１】
そのため、この考案の照明器具は、ソケット１に設けたフランジ部９の段周部１０に第一防水リング５を嵌め込み、前記ソケット１をホルダー３に差し込み、前記フランジ部９の段周部１０の上周面１０ｂと前記ホルダー３に設けた上フランジ部１１の上周面１１ａとが接触するようにして、前記フランジ部９と上フランジ部１１を固着することにより、前記第一防水リング５が、前記フランジ部９と上フランジ部１１に押圧されて、第一防水リング５の接触側周面５ａと前記段周部１０の側周面１０ａとが密着すると共に、第一防水リング５の接触上周面５ｂと前記段周部１０の上周面１０ｂとが密着し、さらに前記第一防水リング５の接触テ−パ周面５ｃに形成した複数の突周条１５が、前記上フランジ部１１の上テ−パ周面１１ｃに押圧され弾性変形して平坦になり、第一防水リング５の接触テ−パ周面５ｃと前記上フランジ部１１の上テ−パ周面１１ｃとの密着性が完全になるようにしている。
【００１２】
さらに、この考案の照明器具は、上記構成と共に、または上記構成とは別に、照明ケース４に設けたフランジ部１３の段周部１４に第二防水リング６を嵌め込み、ホルダー３を前記照明ケース４に被せ、前記ホルダー３に設けた下フランジ部１２の下周面１２ａと前記照明ケース４のフランジ部１３の上周面１４ｂとが接触するようにして、前記下フランジ部１２とフランジ部１３を固着することにより、前記第二防水リング６が、前記下フランジ部１２とフランジ部１３に押圧されて、第二防水リング６の接触側周面６ａと前記段周部１４の側周面１４ａとが密着すると共に、第二防水リング６の接触下周面６ｂと前記段周部１４の上周面１４ｂとが密着し、さらに前記第二防水リング６の接触テ−パ周面６ｃに形成した複数の突周条１６が、前記下フランジ部１２の下テ−パ周面１２ｂに押圧され弾性変形して平坦になり、第ニ防水リング６の接触テ−パ周面６ｃと前記下フランジ部１２の下テ−パ周面１２ｂとの密着性が完全になるようにしている。
【考案の効果】
【００１３】
この考案の照明器具は、以上に述べたように構成されており、ソケット１とホルダー３との間や、ホルダー３と照明ケース４との間の防水を完全なものとしたので、トンネルや園芸ハウスなどの多湿な場所、建築工事や道路工事の現場などの雨がかかる屋外で使用するのに適したものとなり、しかも特に高多湿な場所や多雨時は勿論、水中においても使用可能なものとなった。
【図面の簡単な説明】
【００１４】
【図１】この考案の照明器具の一実施形態を示す斜視図である。
【図２】図１に示すこの考案の照明器具の正面図である。
【図３】図２中のＡ−Ａ線によるこの考案の照明器具の断面図である。
【図４】この考案の照明器具のホルダーを示しており、（ａ）はそのホルダーを斜め下方から見た斜視図であり、（ｂ）はそのホルダーを斜め上方から見た斜視図である。
【図５】この考案の照明器具の照明ケースを斜め上方から見た斜視図である。
【図６】この考案の照明器具の第一防水リングを示しており、（ａ）はその第一防水リングを斜め下方から見た斜視図であり、（ｂ）はその第一防水リングの断面図である。
【図７】この考案の照明器具の第二防水リングを示しており、（ａ）はその第二防水リングを斜め上方から見た斜視図であり、（ｂ）はその第二防水リングの断面図である。
【図８】この考案の照明器具の図３中の円ａで囲んだ部分の拡大図である。
【図９】この考案の照明器具において、ソケットのフランジ部とホルダーの上フランジ部を固着する前の状態を示す説明図である。
【図１０】この考案の照明器具において、ソケットのフランジ部とホルダーの上フランジ部を固着した状態を示す説明図である。
【図１１】この考案の照明器具において、ホルダーの下フランジ部と照明ケースのフランジ部を固着する前の状態を示す説明図である。
【図１２】この考案の照明器具において、ホルダーの下フランジ部と照明ケースのフランジ部を固着した状態を示す説明図である。
【図１３】従来の照明器具の一例を示す断面図である。
【図１４】従来の照明器具の他の例を示す斜視図である。
【考案を実施するための形態】
【００１５】
以下、この考案の照明器具を実施するための形態を、図面に基づいて詳細に説明する。
【００１６】
この考案の照明器具は、図１〜３に示したように、ソケット１、発光体２、ホルダー３、照明ケース４、第一防水リング５、第二防水リング６を備えてなるものとしている。
【００１７】
ソケット１は、電線コード（図示せず）から引き出された引出線部７に一体的に接続されており、下部の内周に設けた口金８に発光体２を装着している。さらに、前記ソケット１の下部の外周にはフランジ部９が設けられ、このフランジ部９には後に述べる第一防水リング５を嵌め込むための段周部１０が設けられている。また、前記口金８は、図示したものでは内周にネジ山を形成したものとしているが、発光体２の形態に応じて様々なタイプの口金とすることができる。
【００１８】
発光体２は、図示したものでは、スパイラル状の蛍光灯としているが、直管状やＵ字管状の蛍光灯とすることができる。また、前記発光体２としては、一般的には蛍光灯としているが、白熱灯、発光ダイオードなどにすることもでき、特に限定されることはない。
【００１９】
ホルダー３は、透明又は不透明としたポリカーボネートなどの硬質の合成樹脂成形体からなり、図４に示したように、上部を開口した略ドーム形状にしており、その上部開口３ａの外周には上フランジ部１１を設け、この上フランジ部１１の上周面１１ａから内周面１１ｂにかけて上テーパ周面１１ｃを形成し、下部の外周には下フランジ部１２を設け、この下フランジ部１２の下周面１２ａから前記ホルダー３の内周面３ｂに連なる下テーパ周面１２ｂを形成している。
【００２０】
照明ケース４は、透明又は半透明としたポリカーボネートなどの硬質の合成樹脂成形体からなり、図５に示したように、有底の筒状にしており、上部開口４ａの外周にはフランジ部１３を設け、このフランジ部１３には後に述べる第二防水リング６を嵌め込むための段周部１４を設けている。なお、前記照明ケース４は、図示したものでは、筒状部分の形状を略円筒形状としているが、前記発光体２の形状に応じたものとするなど、色々な形状にすることができる。
【００２１】
第一防水リング５は、ゴムや合成樹脂などからなる弾性変形可能なものとしており、図６に示したように、前記ソケット１の段周部１０に丁度嵌め込まれる大きさに形成しており、この段周部１０の側周面１０ａと接触するようにした接触側周面５ａ、この段周部１０の上周面１０ｂと接触するようにした接触上周面５ｂ、前記ホルダー３の上フランジ部１１の上テーパ周面１１ｃと接触するようにした接触テーパ周面５ｃ、および前記接触上周面５ｂと接触テーパ周面５ｃとの間に形成した非接触周面５ｄを有した円形リングとしている。そして、前記接触テーパ周面５ｃは、傾斜角α１ を有するものとしている。この傾斜角α１ は、前記ホルダー３の上テーパ周面１１ｃの傾斜角β１ と同じにするのが、これら接触テーパ周面５ｃと上テーパ周面１１ｃとの密着度がよくなるので好ましい。なお、前記傾斜角α１ 、β１ は、１５〜４５度にしている。さらに、前記接触テーパ周面５ｃには、複数（図示したものは２個）の突周条１５を形成したものとしている。
【００２２】
第二防水リング６は、ゴムや合成樹脂などからなる弾性変形可能なものとしており、図７に示したように、前記照明ケース４の段周部１４に丁度嵌め込まれる大きさに形成しており、この段周部１４の側周面１４ａと接触するようにした接触側周面６ａ、この段周部１４の下周面１４ｂと接触するようにした接触下周面６ｂ、前記ホルダー３の下テーパ周面１２ｂと接触するようにした接触テーパ周面６ｃ、および前記接触下周面６ｂと接触テーパ周面６ｃとの間に形成した非接触周面６ｄを有した円形リングとしている。そして、前記接触テーパ周面６ｃは、傾斜角α２ を有するものとしている。この傾斜角α２ は、前記ホルダー３の下テーパ周面１２ｂの傾斜角β２ と同じにするのが、これら接触テーパ周面６ｃと下テーパ周面１２ｂとの密着度がよくなるので好ましい。なお、前記傾斜角α２ 、β２ は、１５〜４５度にしている。さらに、前記接触テーパ周面６ｃには、複数（図示したものは２個）の突周条１６を形成したものとしている。
【００２３】
以上のような各部材を備えるこの考案の照明器具は、以下のように構成されている。
【００２４】
先ず、この考案の照明器具は、前記ソケット１のフランジ部９の段周部１０に第一防水リング５を嵌め込み、図９に示した状態から、前記ソケット１の段周部１０をホルダー３の上部開口３ａに差し込み、図１０に示すように、前記段周部１０の上周面１０ｂと前記ホルダー３の上フランジ部１１の上周面１１ａとが接触するようにして、前記フランジ部９と上フランジ部１１をネジＳやボルト・ナット（図示せず）などで固着している。
【００２５】
このようにすると、前記第一防水リング５が、図１０に示すように、前記フランジ部９と上フランジ部１１に押圧されて、第一防水リング５の接触側周面５ａと前記段周部１０の側周面１０ａとが密着すると共に、第一防水リング５の接触上周面５ｂと前記段周部１０の上周面１０ｂとが密着する。そして、前記第一防水リング５の接触テ−パ周面５ｃの複数の突周条１５が、前記上フランジ部１１の上テ−パ周面１１ｃに押圧され弾性変形して平坦になり、第一防水リング５の接触テ−パ周面５ｃと前記上フランジ部１１の上テ−パ周面１１ｃとの接触面が広がり、密着性が完全になる。さらに、前記複数の突周条１５が、弾性変形して平坦になることによって、その反力として前記接触側周面５ａに集中的に押圧力が働き、前記接触側周面５ａと前記側周面１０ａとの密着性も完全になる。この場合、前記接触テーパ周面５ｃの傾斜角α１ 、上テーパ周面１１ｃの傾斜角β１ を１５〜４５度にするのが、複数の突周条１５が弾性変形して接触面が広がり易いものとなり、前記接触テ−パ周面５ｃと上テ−パ周面１１ｃとの密着性が完全になる。
【００２６】
さらに、この考案の照明器具は、前記照明ケース４のフランジ部１３の段周部１４に第二防水リング６を嵌め込み、図１１に示した状態から、前記ホルダー３の下フランジ部１２を前記照明ケース４のフランジ部１３に被せ、図１２に示すように、前記下フランジ部１２の下周面１２ａと前記フランジ部１３の上周面１４ｂとが接触するようにして、前記下フランジ部１２とフランジ部１３をネジＳやボルト・ナット（図示せず）などで固着している。
【００２７】
このようにすると、前記第二防水リング６が、図１２に示すように、前記下フランジ部１２とフランジ部１３に押圧されて、第二防水リング６の接触側周面６ａと前記段周部１４の側周面１４ａとが密着すると共に、第二防水リング６の接触下周面６ｂと前記段周部１４の上周面１４ｂとが密着する。そして、前記第二防水リング６の接触テ−パ周面６ｃの複数の突周条１６が、前記下フランジ部１２の下テ−パ周面１２ｂに押圧され弾性変形して平坦になり、第ニ防水リング６の接触テ−パ周面６ｃと前記下フランジ部１２の下テ−パ周面１２ｂとの接触面が広がり、密着性が完全になる。さらに、前記複数の突周条１６が、弾性変形して平坦になることによって、その反力として前記接触側周面６ａに集中的に押圧力が働き、前記接触側周面６ａと前記側周面１４ａとの密着性も完全になる。この場合、前記接触テーパ周面６ｃの傾斜角α２ 、下テーパ周面１２ｂの傾斜角β２ を１５〜４５度にするのが、複数の突周条１６が弾性変形して接触面が広がり易いものとなり、前記接触テ−パ周面６ｃと下テ−パ周面１２ｂとの密着性が完全になる。
【００２８】
以上のように構成されたこの考案の照明器具は、第一防水リング５の接触側周面５ａと前記段周部１０の側周面１０ａとが密着すると共に、第一防水リング５の接触上周面５ｂと前記段周部１０の上周面１０ｂとが密着しているので、高多湿な場所や多雨時は勿論、水中においても、前記段周部１０の上周面１０ｂと第一防水リング５の接触上周面５ｂとの間や、前記段周部１０の側周面１０ａと第一防水リング５の接触側周面５ａとの間を通し、照明器具内部に浸水してくることはない。また、第一防水リング５の接触テ−パ周面５ｃと前記上フランジ部１１の上テ−パ周面１１ｃとの密着性も完全になるので、前記上フランジ部１１の上テ−パ周面１１ｃと第一防水リング５の接触テ−パ周面５ｃとの間を通し、照明器具内部に浸水してくることはない。
【００２９】
さらに、この考案の照明器具は、第二防水リング６の接触側周面６ａと前記段周部１４の側周面１４ａとが密着すると共に、第二防水リング６の接触下周面６ｂと前記段周部１４の上周面１４ｂとが密着しているので、高多湿な場所や多雨時は勿論、水中においても、前記段周部１４の上周面１４ｂと第二防水リング６の接触下周面６ｂとの間や、前記段周部１４の側周面１４ａと第二防水リング６の接触側周面６ａとの間を通し、照明器具内部に浸水してくることはない。また、第ニ防水リング６の接触テ−パ周面６ｃと前記下フランジ部１２の下テ−パ周面１２ｂとの密着性も完全になるので、前記下フランジ部１２の下テ−パ周面１２ｂと第ニ防水リング６の接触テ−パ周面６ｃとの間を通し、照明器具内部に浸水してくることはない。
【００３０】
以上に述べたようにこの考案の照明器具は、ソケット１とホルダー３との間の密着性が良くなる共に、ホルダー３と照明ケース４との間の密着性も完全になるので、ソケット１とホルダー３との間や、ホルダー３と照明ケース４との間の防水が完全なものとなり、トンネルや園芸ハウスなどの多湿な場所、建築工事や道路工事の現場などの雨がかかる屋外で使用するのに適したものとなり、しかも特に高多湿な場所や多雨時は勿論、水中においても使用可能なものとなった。
【符号の説明】
【００３１】
１  ソケット
３  ホルダー
４  照明ケース
５  第一防水リング
５ａ  接触側周面
５ｂ  接触上周面
５ｃ  接触テーパ周面
６  第二防水リング
６ａ  接触側周面
６ｂ  接触下周面
６ｃ  接触テーパ周面
９  フランジ部
１０  段周部
１０ａ  側周面
１０ｂ  上周面
１１  上フランジ部
１１ａ  上周面
１１ｃ  上テーパ周面
１２  下フランジ部
１２ａ  下周面
１２ｂ  下テーパ周面
１３  フランジ部
１４  段周部
１４ａ  側周面
１４ｂ  上周面
１５  突周条
１６  突周条
【図１】
0003185999.tif 000003
【図２】
0003185999.tif 000004
【図３】
0003185999.tif 000005
【図４】
0003185999.tif 000006
【図５】
0003185999.tif 000007
【図６】
0003185999.tif 000008
【図７】
0003185999.tif 000009
【図８】
0003185999.tif 000010
【図９】
0003185999.tif 000011
【図１０】
0003185999.tif 000012
【図１１】
0003185999.tif 000013
【図１２】
0003185999.tif 000014
【図１３】
0003185999.tif 000015
【図１４】
0003185999.tif 000016